(57)【要約】      （修正有）【課題】電気化学的水素ポンプユニットを用いてアノード排ガスから水素を回収することにより、コンパクトで安価な燃料電池システムを提供する。【解決手段】燃料電池１０は、燃料電池セル１１の積層体を含む発電部と、１個以上の電気化学的水素ポンプユニット１２から構成され、水素ポンプユニットは発電部からのアノード排ガスを、水素と不純物濃度がより高いガスとに分離するための不純物濃縮部であり、各水素ポンプユニット１２のカソード流路内には、所定高さまでは液水が溜まるが、所定高さ以上は液水が溜まらない構造とする。【選択図】図１
2010262776.tif 000002
【特許請求の範囲】
【請求項１】
複数個の燃料電池セルを積層した部分を含む、水素を含むガスがアノードガスとして供給される発電部と、
前記発電部から排出されるアノード排ガスの少なくとも一部を不純物濃度がより高い不純物濃縮ガスと水素とに分離するための不純物濃縮部であって、
前記発電部に対して前記燃料電池の積層方向に積層された、プロトンを通す電解質膜と当該電解質膜を挟んで対向するカソード流路及びアノード流路とを有する１個以上の電気化学的水素ポンプユニット、
前記発電部からのアノード排ガスの少なくとも一部を各電気化学的水素ポンプユニットのアノード流路に供給するためのアノード排ガス供給路、
各電気化学的水素ポンプユニットのカソード流路の鉛直方向上方部分と接続された、各電気化学的水素ポンプユニットのカソード流路内に溜まった水素をカソード流路外へ排出するための水素出口、及び、
各電気化学的水素ポンプユニットのカソード流路内の過剰分の液水をカソード流路外へ排出することにより、各電気化学的水素ポンプユニットのカソード流路内の液水量を、各電気化学的水素ポンプユニットの電解質膜の鉛直方向上側の所定面積の部分に触れない量に維持する液水量調整手段
を有する不純物濃縮部と
を備えることを特徴とする燃料電池。
【請求項２】
前記電気化学的水素ポンプユニットとして、前記燃料電池セルと同じものが使用されている
ことを特徴とする請求項１に記載の燃料電池。
【発明の詳細な説明】
【技術分野】
【０００１】
本発明は、燃料電池に関する。
【背景技術】
【０００２】
燃料（アノードガス）として水素を供給すべき燃料電池（固体高分子形燃料電池）とその制御系とを含む燃料電池システムの中には、燃料電池から排出されるアノード排ガスを燃料電池のアノードガス供給口に戻すことや、アノード排ガスをアノードガス供給口に戻すことなくシステム外に排出することが可能なアノード排ガス循環・排出系を備えたものが存在している。
【０００３】
要するに、燃料電池内で反応しなかった水素を燃料として再利用でき、かつ、アノード排ガス中の不純物（窒素等）量が増えた場合に、アノード排ガスをシステム外に排出できる燃料電池システムが存在しているのであるが、燃費（水素の利用効率）向上の観点からは、システム外に不純物と共に排出される水素量は少ない方が良い。
【０００４】
そのため、電気化学的水素ポンプをアノード排ガス循環・排出系に設けることにより、水素を抽出してからアノード排ガスを排出できるようにした燃料電池システム（例えば、特許文献１参照）が開発されている。
【先行技術文献】
【特許文献】
【０００５】
【特許文献１】特開２００６−０１９１２０号公報
【特許文献２】特開２００７−０６６９１８号公報
【特許文献３】特開２００８−１１２７４１号公報
【特許文献４】特開２００５−０２６０５９号公報
【特許文献５】特開２００８−２３５１３２号公報
【特許文献６】特開２００３−１６８４６８号公報
【発明の概要】
【発明が解決しようとする課題】
【０００６】
燃料電池システム（特に、車載用の燃料電池システム）は、コンパクトな、安価に製造できるものであることが望ましいが、電気化学的水素ポンプは、その主要構成要素である電解質膜が乾くにつれプロトンの伝導抵抗が大きくなるデバイスであると共に、プロトンの移動時に、電解質膜中の水分がカソード側に移動してしまうデバイスである。従って、電気化学的水素ポンプを正常に機能させるためには、電気化学的水素ポンプ内の電解質膜が乾かないようにしておくことが必要である。そして、燃料電池システムを、カソードガス（水素）用の加湿器を備えたシステムとしておけば、アノード排ガス中の水分で電気化学的水素ポンプ内の電解質膜が乾かないようにすることが出来るのであるが、加湿器を設ける場合、その分、燃料電池システムの製造コストが上昇することになる。さらに、燃料電池システムのサイズが大きくなってしまうことにもなる。
【０００７】
また、電気化学的水素ポンプをアノード排ガス循環・排出系に組み込む構成を採用した場合、電気化学的水素ポンプとそれに関する配管の設置スペース分、燃料電池システムのサイズが大きくならざるを得ない。
【０００８】
そこで、本発明の課題は、それを用いることにより、水素を抽出してからアノード排ガスを排出するタイプの、コンパクト且つ安価な燃料電池システムを構築できる燃料電池を
提供することにある。
【課題を解決するための手段】
【０００９】
上記課題を解決するために、本発明の燃料電池は、複数個の燃料電池セルを積層した部分を含む、水素を含むガスがアノードガスとして供給される発電部と、前記発電部から排出されるアノード排ガスの少なくとも一部を不純物濃度がより高い不純物濃縮ガスと水素とに分離するための不純物濃縮部であって、前記発電部に対して前記燃料電池の積層方向に積層された、プロトンを通す電解質膜と当該電解質膜を挟んで対向するカソード流路及びアノード流路とを有する１個以上の電気化学的水素ポンプユニット、前記発電部からのアノード排ガスの少なくとも一部を各電気化学的水素ポンプユニットのアノード流路に供給するためのアノード排ガス供給路、各電気化学的水素ポンプユニットのカソード流路の鉛直方向上方部分と接続された、各電気化学的水素ポンプユニットのカソード流路内に溜まった水素をカソード流路外へ排出するための水素出口、及び、各電気化学的水素ポンプユニットのカソード流路内の過剰分の液水をカソード流路外へ排出することにより、各電気化学的水素ポンプユニットのカソード流路内の液水量を、各電気化学的水素ポンプユニットの電解質膜の鉛直方向上側の所定面積の部分に触れない量に維持する液水量調整手段を有する不純物濃縮部とを、備える。
【００１０】
すなわち、本発明の燃料電池は、既存の燃料電池システムにおける燃料電池、電気化学的水素ポンプにそれぞれ相当する発電部、不純物濃縮部を一体化したものであると共に、燃料電池セル、電気化学的水素ポンプユニット等を積層すれば、製造できる（組み立てられる）ものとなっている。
【００１１】
そして、発電部、不純物濃縮部を一体化した燃料電池の製造に必要とされる部品数、工程数は、発電部と不純物濃縮部とを別々製造する場合に必要とされる部品数、工程数よりも少ない。また、発電部、不純物濃縮部を一体化しておけば、燃料電池システムを構築する際に、不純物濃縮部の設置場所を確保する必要や、発電部と不純物濃縮部とを接続する必要がなくなることになる。従って、本発明の燃料電池を用いておけば、水素を抽出してからアノード排ガスを排出するタイプの、コンパクト且つ安価な（発電部と不純物濃縮部とを別々製造する場合よりも製造コストがかからない）燃料電池システムを構築できることになる。
【００１２】
また、本発明の燃料電池が備える不純物濃縮部は、各電気化学的水素ポンプユニットのカソード流路の鉛直方向上方部分から、水素が取り出される構成を有している。なお、本発明において、鉛直方向とは、燃料電池が通常の姿勢を取っている場合における鉛直方向のことである。
【００１３】
換言すれば、不純物濃縮部は、当該構成を採用することによって、各電気化学的水素ポンプユニットのカソード流路内に生じた液水（凝縮水）が、水素と共に排出されないようにしたものとなっている。そして、各電気化学的水素ポンプユニットのカソード流路内に生じた液水が、水素と共に排出されなければ、各電気化学的水素ポンプユニットのカソード流路内に液水が溜まり、その液水によって、各電気化学的水素ポンプユニットの電解質膜に水分を補給できる。そのため、本発明の燃料電池を用いて燃料電池システムを構築する際には、電気化学的水素ポンプユニット１２の性能維持のための構成（アノードガス用の加湿器等）をシステムの構成要素としなくても良いことになる。そして、アノードガス用の加湿器等を備えない燃料電池システムは、アノードガス用の加湿器等を備えた燃料電池システムよりも、製造コストが低く、コンパクトなものになるのであるから、本発明の燃料電池は、この観点からも、水素を抽出してからアノード排ガスを排出するタイプの、コンパクト且つ安価な燃料電池システムを構築できるものとなっていることになる。
【００１４】
さらに、不純物濃縮部は、各電気化学的水素ポンプユニットのカソード流路内の液水量を、各電気化学的水素ポンプユニットの電解質膜の鉛直方向上側の所定面積の部分に触れない量に維持する液水量調整手段を有している。従って、本発明の燃料電池を用いて構築した燃料電池システムでは、各電気化学的水素ポンプユニットのカソード流路内の液水量が過度に増える（各電気化学的水素ポンプユニットの電解質膜の、水素移動に利用可能な面積が過度に減少する）ことに因り、各電気化学的水素ポンプユニットの性能が劣化するといったことが生じないことになる。
【００１５】
本発明の燃料電池の電気化学的水素ポンプユニットとしては、様々なものを使用することが出来る。ただし、製造コストを低減するために、電気化学的水素ポンプユニットとしては、燃料電池セルと大部分の部品が同じもの（例えば、使用されているＭＥＡのみが燃料電池セルと異なるもの）を使用しておくことが好ましく、特に、燃料電池セルと全く同じものを使用しておくことが望ましい。
【発明の効果】
【００１６】
本発明の燃料電池を用いれば、水素を抽出してからアノード排ガスを排出するタイプの、コンパクト且つ安価な燃料電池システムを構築できる。
【図面の簡単な説明】
【００１７】
【図１】本発明の一実施形態に係る燃料電池を備えた燃料電池システムの概略構成図である。
【図２】実施形態に係る燃料電池が備える不純物濃縮部の概略構成図である。
【発明を実施するための形態】
【００１８】
以下、本発明を実施するための形態について、図面を参照して詳細に説明する。
【００１９】
図１に、本発明の一実施形態に係る燃料電池１０を備えた燃料電池システム１の概略構成図を示す。また、図２に、燃料電池１０の不純物濃縮部（電気化学的水素ポンプユニット１２、液水量調整構造２８等からなる部分）の概略構成図を示す。なお、本実施形態に係る燃料電池１０は、車両に搭載して無加湿運転することを想定して開発したものであり、各図は、車両に搭載されている燃料電池１０の側面方向から見た構成を、燃料電池１０の鉛直下方向が各図における下方向となるように示したものとなっている。
【００２０】
まず、これらの図を用いて、本実施形態に係る燃料電池１０の構成を説明する。
図１に示してあるように、燃料電池１０は、絶縁板２２、集電板２３、複数の燃料電池セル１１、集電板２３、絶縁板２２、中間プレート２４、絶縁板２５、集電板２６、複数の電気化学的水素ポンプユニット１２、集電板２６、絶縁板２５を、この順で２つのエンドプレート２１、２７間に挟んだ上で、エンドプレート２７側に液水量調整構造２８を設けた構成を有している。
【００２１】
燃料電池セル１１は、アノード極、電解質膜（固体高分子膜）、カソード極を貼り合わせて一体化したＭＥＡ（膜・電極接合体)を、アノードガス／カソードガスを流すための
アノード流路／カソード流路が彫り込まれているセパレータ（いわゆるバイポーラプレート）で挟んだ燃料電池セルである。
【００２２】
この燃料電池セル１１は、積層することにより、アノード上部マニホールド１３Ｃ、アノード下部マニホールド１４Ｃ、カソード上部マニホールド（図示略）、カソード下部マニホールド（図示略）及び冷却水流路を有する積層体（以下、セルスタックと表記する）が形成されるものとなっている。なお、アノード上部マニホールド１３Ｃとは、セルスタックの上端側に位置する、各燃料電池セル１１のアノード流路の上端側の部分と連通した
マニホールドのことであり、アノード下部マニホールド１４Ｃとは、セルスタックの下端側に位置する、各燃料電池セル１１のアノード流路の下端側の部分と連通したマニホールドのことである。カソード上部マニホールドとは、セルスタックの上端側に位置する、各燃料電池セル１１のカソード流路の上端側の部分と連通したマニホールドのことであり、カソード下部マニホールドとは、セルスタックの下端側に位置する、各燃料電池セル１１のカソード流路の下端側の部分と連通したマニホールドのことである。また、冷却水流路とは、冷却水を流すための流路のことである。
【００２３】
電気化学的水素ポンプユニット１２（以下、水素ポンプユニット１２と略記する）は、プロトンを通す電解質膜と当該電解質膜を挟んで対向するアノード流路及びカソード流路とを有する、電解質膜に電流を流すことによりアノード流路内の水素をカソード流路側に移動させることが出来る電気化学デバイスである。
【００２４】
この水素ポンプユニット１２としては、上記した燃料電池セル１１と同じものが使用されている。従って、燃料電池１０の、複数の水素ポンプユニット１２が積層された部分（以下、水素ポンプと表記する）も、上記した各マニホールドに相当するアノード上部マニホールド１３Ｐ、アノード下部マニホールド１４Ｐ、カソード上部マニホールド１５Ｐ、カソード下部マニホールド（図示略）等を有している。
【００２５】
集電板２３は、セルスタックから電力を取り出すための出力端子２３ａが取り付けられている導電性部材である。絶縁板２２は、エンドプレート２１・集電板２３間、又は、集電板２３・中間プレート２４間を絶縁するために設けられている絶縁性部材である。
【００２６】
エンドプレート２１側の絶縁板２２、集電板２３は、いずれも、上記した各マニホールドや冷却水流路に対応する部分に開口部を有する部材となっている。一方、中間プレート２４側の絶縁板２２、集電板２３は、いずれも、アノード下部マニホールド１４Ｃに対応する部分には開口部を有するが、他の各マニホールドや冷却水流路に対応する部分には開口部を有さない部材となっている。
【００２７】
集電板２６は、各水素ポンプユニット１２の電解質膜の膜面間に電流を流すための入力端子２６ａが取り付けられている導電性部材である。絶縁板２５は、中間プレート２４・集電板２６間、又は、集電板２６・エンドプレート２７間を絶縁するために設けられている絶縁性部材である。
【００２８】
中間プレート２４側の絶縁板２５、集電板２６は、いずれも、アノード下部マニホールド１４Ｐに対応する部分に開口部を有し、他の各マニホールドに対応する部分に開口部を有さない部材となっている。一方、エンドプレート２７側の絶縁板２５、集電板２６は、いずれも、アノード下部マニホールド１４Ｐに対応する部分に開口部を有さず、他の各マニホールドに対応する部分に開口部を有する部材となっている。
【００２９】
中間プレート２４は、アノード下部マニホールド１４Ｃとアノード下部マニホールド１４Ｐとを連通する貫通孔が設けられている剛性部材である。
【００３０】
エンドプレート２１、２７は、燃料電池セル１１、水素ポンプユニット１２等を、積層方向（図１、２における左右方向）に加圧して保持するための剛性部材である。
【００３１】
エンドプレート２１には、アノード上部マニホールド１３Ｃと連通するガス流路接続部（厚さ方向に延びた貫通孔とガス流路を固定／接続するための構成とからなる部分）であるアノードガス導入部２１ａ、及び、アノード下部マニホールド１４Ｃと連通するガス流路接続部であるアノード排ガス排出部２１ｂが設けられている。また、エンドプレート２
１には、カソード上部マニホールド（水素ポンプ側のカソード上部マニホールド１５Ｐ参照）と連通するガス流路接続部であるカソードガス導入部（図示略）、及び、カソード下部マニホールド（図示略）と連通するガス流路接続部であるカソード排ガス排出部（図示略）も設けられている。さらに、エンドプレート２１には、セルスタック内の冷却水流路への冷却水の入口、当該冷却水流路からの冷却水の出口としてそれぞれ機能する冷却水導入部（図示略）、冷却水排出部（図示略）も設けられている。
【００３２】
エンドプレート２７には、カソード上部マニホールド１５Ｐと連通するガス流路接続部である水素排出部２７ａ、カソード下部マニホールド（図示略）と連通するガス流路接続部である水素・液水排出部２７ｂが設けられている。また、エンドプレート２７には、アノード上部マニホールド１３Ｐと連通するガス流路接続部である不純物濃縮ガス排出部２７ｃも設けられている。
【００３３】
エンドプレート２７の水素排出部２７ａ、水素・液水排出部２７ｂとの間には、液水量調整構造２８が設けられている。
【００３４】
この液水量調整構造２８は、図２に示した構成を有するものである。すなわち、液水量調整構造２８は、エンドプレート２７の水素排出部２７ａから水平方向に延びたパイプ状部材２８ａであって、ガス流路３３を取り付けるための取付部２８ｂがその端部に設けられているパイプ状部材２８ａを備えている。
【００３５】
また、液水量調整構造２８は、下方に延びるように、パイプ状部材２８ｂの途中に接続されたパイプ状部材２８ｃと、当該パイプ状部材２８ｃの下端に設けられた所定量の液体を貯留可能な貯留部２８ｄとを備えている。
【００３６】
さらに、液水量調整構造２８は、水素・液水排出部２７ｂとパイプ状部材２８ｃとを接続するパイプ状部材２８ｅであって、エンドプレート２７の水素・液水排出部２７ｂから上方に延びた後、下側の内壁面の高さが高さｈとなる箇所で水平方向に曲がった形状のパイプ状部材２８ｅを備えている。なお、高さｈとは、その高さまで各水素ポンプユニット１２のカソード流路内に液水が溜まることにより各水素ポンプユニット１２の電解質膜の水素移動に利用可能な面積が減っても、各水素ポンプユニット１２の性能がさほど低下しない高さとして定められた高さのことである。
【００３７】
次に、燃料電池システム１の構成及び動作と、燃料電池システム１の構成要素としての燃料電池１０の基本的な機能とを、説明する。なお、以下の説明では、燃料電池１０の、中間プレート２４よりもエンドプレート２１側の部分、中間プレート２４よりもエンドプレート２７側の部分のことを、それぞれ、発電部、不純物濃縮部と表記する。
【００３８】
図１に示してあるように、燃料電池システム１は、水素を保持した水素タンク３０と、水素タンク３０内の水素を、加湿することなく（加湿器を通すことなく）燃料電池１０のアノードガス導入部２１ａに供給するためのガス流路３３と、ガス流路３３の途中に設けられたシャットバルブ３１、減圧弁（図示略）及びインジェクタ３２とを備えている。
【００３９】
また、燃料電池システム１は、燃料電池１０のアノード排ガス排出部２１ｂをガス流路３３の途中の部分に接続するガス流路３４、及び、ガス流路３４の途中に設けられた機械式ポンプ３９を備えている。燃料電池システム１は、液水量調整構造２８（パイプ状部材２８ａ：図２参照）を介して水素排出部２７ａとガス流路３３とを接続するガス流路３５も備えている。なお、このガス流路３５は、図示せぬイジェクタを介してガス流路３３と接続されたものとなっている。
【００４０】
燃料電池システム１は、ガス流路３５の途中に設けられたシャットバルブ３７、不純物濃縮ガス排出部２７ｃと接続されたガス流路３６、当該ガス流路３６の途中に設けられたシャットバルブ３８も、備えている。
【００４１】
また、図示は省略してあるが、燃料電池システム１は、エアコンプレッサ等からなる、燃料電池１０のカソードガス導入部に空気を供給するためのアノードガス供給系や、ラジエータ、冷却水用ポンプ等からなる、セルスタックの冷却水流路に冷却水を流すための冷却系も備えている。
【００４２】
さらに、燃料電池システム１は、各種センサの出力に基づき、必要量のアノードガス及びカソードガスが燃料電池１０へ供給されるように、エアコンプレッサ、シャットバルブ３１、インジェクタ３２、機械式ポンプ３９等を制御する制御装置（ＣＰＵ、ＲＯＭ、ＲＡＭ等からなる、いわゆる電子制御ユニット）も備えている。なお、各種センサとは、燃料電池システム１を搭載した車両に設けられているアクセルペダルセンサや、燃料電池システム１の各部の圧力、電圧、温度等を測定するためのセンサのことである。また、必要量のアノードガス及びカソードガスとは、負荷（本実施形態では、車両用モータ、バッテリ、インバータ等からなるシステム）に必要とされている電力（アクセルペダル開度等から求められた電力）が出力端子２３ａ間から取り出せる量のガスのことである。
【００４３】
この制御装置は、入力端子２６ａ間に電流を流すことにより各水素ポンプユニット１２のアノード流路側からカソード流路側へ水素を移動させた後、シャットバルブ３７、３８を一時的に開ける処理である不純物濃縮部等制御処理を定期的に行う機能を有している。詳細説明は省略するが、この不純物濃縮部等制御処理は、入力端子２６ａ間のインピーダンスや入力端子２６ａ間に流した電流量に基づき、各水素ポンプユニット１２のアノード流路側からカソード流路側へ移動した水素量や、各水素ポンプユニット１２のアノード流路側に残っている水素量を推定し、その推定結果に基づき、シャットバルブ３７、３８を開けるタイミングを決定する処理となっている。
【００４４】
要するに、燃料電池システム１及び燃料電池１０は上記構成を有するものであるため、エアコンプレッサ等の制御により、アノードガス及びカソードガスの燃料電池１０への供給が開始されると、燃料電池１０の発電部が発電動作を開始することになる。
【００４５】
そして、その際、不純物濃縮部等制御処理が行われていなければ（シャットバルブ３８が開けられておらず、かつ、入力端子３６ａ間に電流が流されていなければ）、発電部からのアノード排ガスの全てが、発電部に供給されるアノードガスの一部として再利用されることになる。何故ならば、発電部のアノード下部マニホールド１４Ｃは、ガス流路３４とアノード下部マニホールド１４Ｐとに接続されているが、シャットバルブ３８が開けられておらず、かつ、入力端子３６ａ間に電流が流されていない場合、各水素ポンプユニット１２のアノード流路側のガス量は変化しないからである。
【００４６】
また、そのような形での運転が続くと、発電部に供給されるアノードガス中の不純物濃度が高くなっていくが、アノードガス中の不純物濃度が高くなったときに入力端子３６ａ間に電流を流す処理を開始すれば、各水素ポンプユニット１２のアノード流路側からカソード流路側に水素が移動する結果として、各水素ポンプユニット１２のアノード流路内のアノード排ガスが、不純物濃度がより高いガス（図１では、不純物濃縮ガス；図２では、Ｎ2）に変化することになる。また、各水素ポンプユニット１２のカソード流路内に水素
が溜まることになる。
【００４７】
そして、各水素ポンプユニット１２のアノード流路は、アノード上部マニホールド１３Ｐ等を介して、シャットバルブ３８を備えたガス流路３６と接続されている。従って、各
水素ポンプユニット１２のアノード流路側のガス中の水素量が或る程度まで下がったときに、シャットバルブ３８を開ければ、アノード排ガスよりも不純物濃度が高い（水素濃度が低い）不純物濃縮ガスを燃料電池システム１外に排出できることになる。
【００４８】
また、各水素ポンプユニット１２のカソード流路は、シャットバルブ３７を備えたガス流路３５、ガス流路３３等を介して、カソードガス導入部２１ａと接続されている。従って、各水素ポンプユニット１２のカソード流路側に或る程度の量の水素が溜まったときに、シャットバルブ３７を開ければ、アノード排ガスから回収した水素を発電部への燃料として再利用できることになる。
【００４９】
そして、各水素ポンプユニット１２のアノード流路側に残っている水素量、各水素ポンプユニット１２のアノード流路側に溜まった水素量は、入力端子２６ａ間のインピーダンス、入力端子２６ａ間に流した電流量等から推定できる。そのため、燃料電池システム１に、上記内容の不純物濃縮部等制御処理を行う制御装置を採用しているのである。
【００５０】
次に、液水量調整構造２８の機能（液水量調整構造２８を燃料電池１０に設けている理由）を、説明する。
【００５１】
液水量調整構造２８は、水素ポンプ（水素ポンプユニット１２が積層された部分）内の各水素ポンプユニット１２の電解質膜が乾かないようにするために、燃料電池１０に設けたものとなっている。
【００５２】
すなわち、水素ポンプユニット１２は、電解質膜が乾くにつれプロトンの伝導抵抗が大きくなるデバイスである。しかも、水素ポンプユニット１２は、プロトンの移動時に、電解質膜中の水分がカソード流路側に移動するデバイスとなっている。従って、燃料電池１０の水素ポンプを正常に機能させるためには、水素ポンプ内の各水素ポンプユニット１２の電解質膜が乾かないようにしておくこと（各水素ポンプユニット１２内の電解質膜に水分が補給されるようにしておくこと）が必要である。
【００５３】
そして、燃料電池１０を加湿運転する（加湿したアノードガスを燃料電池１０に供給する）場合には、各水素ポンプユニット１２内のアノード流路に、比較的に高湿度のアノード排ガス（電解質膜へ十分な量の水分を供給できるアノード排ガス）を供給することが出来る。そのため、燃料電池１０を加湿運転する場合には、液水量調整構造２８を設けておかなくても、例えば、水素排出部２７ａを封止して水素・液水排出部２７ｂにガス流路３６を接続しておけば、各水素ポンプユニット１２内の電解質膜が乾かないようにすることが出来ることになる。
【００５４】
ただし、水素排出部２７ａを封止して水素・液水排出部２７ｂにガス流路３６を接続した燃料電池１０を、アノード排ガス温度が高くなる条件で無加湿運転し続けた場合には、各水素ポンプユニット１２内の電解質膜が乾いてしまうことになる。何故ならば、この場合、高温かつ低湿度のアノード排ガスにより各水素ポンプユニット１２内の電解質膜の乾燥が促進されることになることに加え、プロトンの移動に伴い電解質膜中からカソード流路側に移動した水分が、水蒸気又は凝縮水として水素と共に各水素ポンプユニット１２のカソード流路外へ排出されてしまうことになるからである。
【００５５】
これに対して、各水素ポンプユニット１２内のカソード流路の上端側から水素を取り出すようにしておけば、プロトンの移動に伴い電解質膜中からカソード流路側に移動した水分を、各水素ポンプユニット１２のカソード流路の下方部分に、電解質膜に水分を供給するための液水（液体状の水）として貯めておくことが出来る。なお、水素ポンプユニット１２のカソード流路側で水分が液化するのは、水素ポンプユニット１２内で生ずる水素の
移動が、発熱を伴うものではないため、水素ポンプユニット１２のカソード流路側の温度が比較的に低いものとなるからである。
【００５６】
ただし、その際、水素・液水排出部２７ｂ側を単に封止したのでは、各水素ポンプユニット１２のカソード流路内のかなりの高さまで液水が溜まってしまい、その結果として、各水素ポンプユニット１２の性能が低下してしまう（電解質膜の、水素移動に使用可能な面積が減ってしまう）ことが考えられる。
【００５７】
そして、エンドプレート２７側に、水素・液水排出部２７ｂから上方に延びた後、下側の内壁面の高さが高さｈとなる箇所で水平方向に曲がった形状のパイプ状部材２８ｅ、当該パイプ状部材２８ｅから液水を貯留する貯留部２８ｄ等を設けておけば、各水素ポンプユニット１２のカソード流路内に溜まり得る液水の高さを、各水素ポンプユニット１２の性能がさほど低下しない高さｈ以下に制御できる。このため、本実施形態に係る燃料電池１０に、上記構成の液水量調整構造２８を設けているのである。
【００５８】
以上、詳細に説明したように、本実施形態に係る燃料電池１０は、それぞれ、既存の燃料電池システムにおける燃料電池、電気化学的水素ポンプに相当する発電部、不純物濃縮部を一体化したものであると共に、燃料電池セル１１、電気化学的水素ポンプユニット１２等を積層すれば製造できる（組み立てられる）ものとなっている。
【００５９】
そして、発電部、不純物濃縮部を一体化した燃料電池１０の製造に必要とされる部品数、工程数は、発電部と不純物濃縮部とを別々製造する場合に必要とされる部品数、工程数よりも少ない。また、発電部と不純物濃縮部とを一体化しておけば、燃料電池システムを構築する際に、不純物濃縮部の設置場所を確保する必要や、発電部と不純物濃縮部とを接続する必要がなくなることになる。
【００６０】
従って、燃料電池１０を用いておけば、水素を抽出してからアノード排ガスを排出するタイプの燃料電池システムであって、燃料電池と電気化学的水素ポンプとが用いられている燃料電池システムよりも、コンパクト且つ安価な燃料電池システムを構築できることになる。
【００６１】
また、燃料電池１０が備える不純物濃縮部は、各電気化学的水素ポンプユニット１２のカソード流路の上端部分（鉛直方向上方部分）から、水素が取り出される構成を採用することによって、各電気化学的水素ポンプユニット１２のカソード流路内に生じた液水（凝縮水）が、水素と共に排出されないようにしたものとなっている。そして、各電気化学的水素ポンプユニット１２のカソード流路内に生じた液水が、水素と共に排出されなければ、各電気化学的水素ポンプユニット１２のカソード流路内に液水が溜まり、その液水によって、各電気化学的水素ポンプユニット１２の電解質膜に水分を補給することが出来る。そのため、燃料電池１０を用いて燃料電池システムを構築する場合には、燃料電池システムに、電気化学的水素ポンプユニット１２の性能維持のための構成（アノードガス用の加湿器等）を組み込む必要がない。従って、燃料電池１０は、この観点からも、コンパクト且つ安価な燃料電池システムを構築できるものとなっていることになる。
【００６２】
さらに、燃料電池１０の不純物濃縮部は、各電気化学的水素ポンプユニット１２のカソード流路内の液水量を、各電気化学的水素ポンプユニット１２の電解質膜の鉛直方向上側の所定面積の部分に触れない量に維持する液水量調整構造２８を有している。従って、この燃料電池１０を用いておけば、各電気化学的水素ポンプユニット１２のカソード流路内の液水量が過度に増える（各電気化学的水素ポンプユニット１２の電解質膜の、水素移動に利用可能な面積が過度に減少する）ことに因り、各電気化学的水素ポンプユニット１２の性能が劣化するといったことが生じない燃料電池システムを構築できることにもなる。
【００６３】
《変形形態》
上記した燃料電池１０は、各種の変形を行うことが出来るものである。例えば、燃料電池１０は、燃料電池セル１１と電気化学的水素ポンプ１２として全く同一のものが使用されたものであったが、電気化学的水素ポンプ１２として、燃料電池セル１１と、使用されているＭＥＡのみが異なるものを使用しておくことが出来る。また、電気化学的水素ポンプ１２として、燃料電池セル１１と全く別構成のものを使用しておくことも出来る。ただし、電気化学的水素ポンプ１２として、燃料電池セル１１と全く別構成のものを使用した場合、製造コストが上昇してしまうので、電気化学的水素ポンプユニット１２としては、燃料電池セル１１と大部分の部品が同じものを使用しておくことが好ましく、特に、燃料電池セル１１と全く同じものを使用しておくことが望ましい。
【符号の説明】
【００６４】
１・・・燃料電池システム
１０・・・燃料電池
１１・・・燃料電池セル
１２・・・電気化学的水素ポンプユニット
１３Ｃ、１３Ｐ・・・アノード上部マニホールド
１４Ｃ、１４Ｐ・・・アノード下部マニホールド
１５Ｐ・・・カソード上部マニホールド
２１，２７・・・エンドプレート
２１ａ・・・アノードガス導入部
２１ｂ・・・アノード排ガス排出部
２７ａ・・・水素排出部
２７ｂ・・・水素・液水排出部
２７ｃ・・・不純物濃縮ガス排出部
２２、２５・・・絶縁板
２３、２６・・・集電板
２４・・・中間プレート
２８・・・液水量調整構造
３０・・・水素タンク
３１、３７、３８・・・シャットバルブ
３２・・・インジェクタ
３３〜３６・・・ガス流路
３９・・・機械式ポンプ
【図１】
2010262776.tif 000003
【図２】
2010262776.tif 000004